(57)【特許請求の範囲】
【請求項１】
受光領域の外側に外部接続用のパッドが配置されたボンディングパッド領域を有する撮像素子と、
少なくとも前記撮像素子の前記受光領域と前記ボンディングパッド領域との間に配置され、前記ボンディングパッド領域に対応するパッドが配置された第１のパッド領域を有する配線部材と、を備え、
前記撮像素子のボンディングパッド領域と前記配線部材の第１のパッド領域における対応するパッド同士がワイヤーボンディング接続され、
前記配線部材が、前記受光領域を遮光するための遮光部材である固体撮像装置。
【請求項２】
請求項１記載の固体撮像装置であって、
前記配線部材が、前記受光領域を囲む全周に形成された固体撮像装置。
【請求項３】
請求項１又は請求項２記載の固体撮像装置であって、
前記撮像素子が実装される回路基板を備え、
前記配線部材が、前記第１のパッド領域とは異なる位置に配置され、前記第１のパッド領域の入出力信号に対する接続端子として機能するパッドが配置された第２のパッド領域を有し、前記第２のパッド領域のパッドが前記回路基板に電気的に接続された固体撮像装置。
【請求項４】
請求項３記載の固体撮像装置であって、
前記回路基板が、前記第２のパッド領域のパッドに対応するパッドが配置された第３のパッド領域を有し、
前記第２のパッド領域と前記第３のパッド領域の対応するパッド同士がワイヤーボンディング接続された固体撮像装置。
【請求項５】
請求項１〜請求項４のいずれか一項記載の固体撮像装置であって、
前記配線部材が、前記撮像素子の撮像素子表面における前記受光領域の外縁全周から、
前記撮像素子表面に対して垂直に立設された筒状部と、
該筒状部の底部から前記撮像素子表面に沿って外側に延設された平坦部と、
を有する固体撮像装置。
【請求項６】
請求項５記載の固体撮像装置であって、
前記第１のパッド領域が、前記配線部材の平坦部に設けられた固体撮像装置。
【請求項７】
請求項５又は請求項６記載の固体撮像装置であって、
前記配線部材の平坦部に、前記第１のパッド領域のパッドに接続される配線パターンが
形成され、
前記配線パターンがシールド機能を有する固体撮像装置。
【請求項８】
請求項１〜請求項７のいずれか一項記載の固体撮像装置であって、
前記配線部材に電子部品が実装された固体撮像装置。
【請求項９】
請求項１〜請求項８のいずれか一項記載の固体撮像装置であって、
前記撮像素子の前記撮像素子表面に位置決めマークが設けられた固体撮像装置。
【請求項１０】
請求項１〜請求項９のいずれか一項記載の固体撮像装置であって、
前記第１のパッド領域が前記ボンディングパッド領域に対して並列配置される複数列の
パッド領域からなり、各列のパッド領域と前記ボンディングパッド領域の対応するパッド
同士がワイヤーボンディング接続された固体撮像装置。
【請求項１１】
請求項１〜請求項１０のいずれか一項記載の固体撮像装置と、
前記撮像素子の受光領域に光学像を結像させる光学部材と、
を備えたカメラモジュール。
【発明の詳細な説明】
【技術分野】
【０００１】
本発明は、固体撮像装置及びカメラモジュールに関する。
【背景技術】
【０００２】
近年、携帯電話や携帯型のパーソナルコンピュータ等は、小型のカメラモジュールを搭載することが多くなった。この種のカメラモジュールは、回路基板に撮像素子を搭載した固体撮像装置と、撮像素子上でレンズを保持するレンズホルダとを備える（例えば特許文献１，２参照）。固体撮像装置の撮像素子と回路基板には、それぞれ複数のパッドを配列したパッド領域が設けられ、双方の対応するパッド同士がワイヤーボンディング接続されている。
【先行技術文献】
【特許文献】
【０００３】
【特許文献１】特開２００２−１３５６３２号公報
【特許文献２】特開２０１０−１０３６２８号公報
【発明の概要】
【発明が解決しようとする課題】
【０００４】
図９に示すように、一般的な固体撮像装置７１では、撮像素子７３と回路基板７５とを電気的に接続する場合、回路基板７５上の撮像素子７３の実装領域より外側にボンディングパッド領域７７を設けている。そして、ボンディングパッド領域７７のパッドと、撮像素子７３側のボンディングパッド領域７９のパッドとをワイヤーボンディング接続している。このため、回路基板７５の幅ＬＢは、ボンディングパッド領域７７を配置するために撮像素子７３の幅ＬＳより広くなり、基板面積が大きくなって小型化の妨げになっていた。
また、近年の固体撮像装置７１の低背化によって、固体撮像装置７１自体の剛性が低下し、外力により変形しやすくなる虞がある。更に、低背化によって固体撮像装置７１の熱容量も低下するため、撮像素子７３が自己発熱の影響を受けやすくなる虞がある。
そして、撮像素子７３は、回路基板７５に搭載されるレンズ駆動用ドライバや電源供給用等のパワー回路から発生するノイズの影響を受けやすい。ノイズの影響を低減するには、ノイズ発生源と撮像素子７３とを隔てて配置することが有効であるが、回路基板７５上では距離を稼ぐことは難しい。更に、固体撮像装置７１の低背化により撮像素子７３や回路基板７５が薄肉化されつつあり、この点も距離を稼ぐことを一層困難にしている。
【０００５】
そこで本発明は、回路基板への撮像素子の実装面積を低減して小型化を図るとともに、低背化しても撮像素子の外力に対する強度を確保でき、発熱による影響を受けにくく、しかもノイズに強い固体撮像装置及びカメラモジュールを提供することを目的とする。
【課題を解決するための手段】
【０００６】
本発明は下記構成からなる。
（１）  受光領域の外側に外部接続用のパッドが配置されたボンディングパッド領域を有する撮像素子と、
少なくとも前記撮像素子の前記受光領域と前記ボンディングパッド領域との間に配置され、前記ボンディングパッド領域に対応するパッドが配置された第１のパッド領域を有する配線部材と、を備え、
前記撮像素子のボンディングパッド領域と前記配線部材の第１のパッド領域における対応するパッド同士がワイヤーボンディング接続され、
前記配線部材が、前記受光領域を遮光するための遮光部材である固体撮像装置。
（２）（１）の固体撮像装置と、
前記撮像素子の受光領域に光学像を結像させる光学部材と、
を備えたカメラモジュール。
【発明の効果】
【０００７】
本発明の固体撮像装置及びカメラモジュールによれば、回路基板への撮像素子の実装面積を低減して小型化を図るとともに、低背化しても撮像素子の外力に対する強度を確保できる。また、発熱による影響を受けにくく、ノイズに強い構成にできる。
【図面の簡単な説明】
【０００８】
【図１】本発明の実施形態を説明するための図で、固体撮像装置の概略的な平面図である。
【図２】図１のＡ−Ａ断面図である。
【図３】図１のＢ−Ｂ断面図である。
【図４】カメラモジュールの概略的な断面図である。
【図５】カメラモジュールの概略的な断面図である
【図６】遮光部材を撮像素子上に配置する様子を示す説明図である。
【図７】遮光部材に複数列のパッド領域を設けてボンディング接続を行った様子を概略的に示す固体撮像装置の一部断面図である。
【図８】図７に示す複数列のパッド領域におけるパッド配置の一例を示す説明図である。
【図９】従来の一般的な撮像素子と回路基板との接続状態を示す説明図である。
【発明を実施するための形態】
【０００９】
以下、本発明の実施形態について、図面を参照して詳細に説明する。
本構成例の固体撮像装置１００は、例えば携帯電話、ＴＶ電話、ＰＣカメラ、ＰＤＡ（Personal Digital Assistants：携帯情報端末）、光学マウス、ドアホン、監視カメラ、指紋認識装置、又は玩具等の画像入力部に使用されるカメラモジュールとして用いられるものである。
【００１０】
＜第１の態様＞
図１は本発明の実施形態を説明するための図で、固体撮像装置の概略的な平面図、図２は図１のＡ−Ａ断面図、図３は図１のＢ−Ｂ断面図である。
図１に示すように、固体撮像装置１００は、受光領域１１の外側に外部接続用のボンディングパッド領域１３を有する撮像素子１５と、少なくとも撮像素子１５の受光領域１１とボンディングパッド領域１３との間に配置された遮光部材１９と、撮像素子１５を表面実装する回路基板２１とを備える。遮光部材１９は、ボンディングパッド領域１３に対応する第１のパッド領域１７、及び第１のパッド領域１７とは異なる位置に配置された第２のパッド領域３１を有する。
【００１１】
固体撮像装置１００は、図２、図３に示すように、回路基板２１上に、撮像素子１５、遮光部材１９がこの順で積層されている。遮光部材１９は、遮光性を有する熱伝導率の高い材料からなり、第１のパッド領域１７と第２のパッド領域３１とを接続する配線パターンを備えた配線部材でもある。遮光部材１９は、例えばモールド成形により製造される。
【００１２】
撮像素子１５は、平面視で長方形状であり、撮像素子１５の少なくとも一辺に沿って、複数のパッド２３が配列されたボンディングパッド領域１３を有する。なお、図示例では互いに対面する短辺に一対のボンディングパッド領域１３，１３を設けた構成であるが、片側一辺のみ設けた構成としてもよく、長辺の一辺又は二辺、或いは全ての辺にボンディングパッド領域を設けた構成としてもよい。
【００１３】
撮像素子１５は、光を検出する受光領域１１の外側に、後述するレンズを光軸方向に駆動するためのレンズ駆動用ドライバ、電源供給用等のパワー回路、撮像部のアンプ回路等のアナログ回路が形成されている。
【００１４】
遮光部材１９は、撮像素子１５の撮像素子表面（上面）における受光領域１１の外縁全周から、撮像素子表面に対して垂直に立設された筒状部２５と、筒状部２５の底部から撮像素子表面に沿って外側へ延設された環状の平坦部２７とを有する。筒状部２５の底部と平坦部２７は、撮像素子表面に隙間なく貼着される。
【００１５】
遮光部材１９の平坦部２７周端は長方形とされている。平坦部２７における短辺の縁部上面には、撮像素子１５のボンディングパッド領域１３，１３に対応する第１のパッド領域１７，１７が設けてある。第１のパッド領域１７は、ボンディングパッド領域１３に対して平行に配置されている。
【００１６】
第１のパッド領域１７には、それぞれボンディングパッド領域１３のパッド２３に対応する複数のパッド２９が配列されており、対応するパッド２３とパッド２９同士が、それぞれワイヤーボンディング接続されている。
【００１７】
また、遮光部材１９には、平坦部２７における第１のパッド領域１７，１７の配置された短辺に直交する一方の長辺の縁部上面に、第２のパッド領域３１が設けてある。第２のパッド領域３１には、第１のパッド領域１７，１７の各パッドに図示しない配線パターンを介して導通された複数のパッド３３が配列されている。これら各パッド３３は、第１のパッド領域１７，１７の入出力信号に対する接続端子として機能する。
【００１８】
回路基板２１は、図３にも示すように、撮像素子１５の実装領域の外側に、第２のパッド領域３１に対応する第３のパッド領域３５を有する。第３のパッド領域３５と第２のパッド領域３１は、互いに平行に配置されている。
【００１９】
第３のパッド領域３５には、第２のパッド領域３１の各パッド３３に対応する複数のパッド３７が配列されており、対応するパッド３３とパッド３７同士が、それぞれワイヤーボンディング接続されている。パッド３７は、回路基板２１に形成された配線に接続されている。これにより、撮像素子１５に入出力される信号線は、第１のパッド領域１７、第２のパッド領域３１、第３のパッド領域３５を介して回路基板２１と接続され、電送可能にされている。
【００２０】
遮光部材１９には、筒状部２５や平坦部２７の表面の一部に電子部品３９を配置することができる。電子部品３９としては、例えば、第１のパッド領域１７と第２のパッド領域３１との間で、撮像素子１５への信号ラインの分割や統合、或いは信号処理等を行うＩＣチップ、各種チップ部品等、種々の部品が挙げられる。
【００２１】
上記構成の固体撮像装置１００によれば、撮像素子１５の受光領域１１とボンディングパッド領域１３との間に遮光部材１９を配置し、撮像素子１５の内側となる遮光部材１９上に第１のパッド領域１７配置することで、撮像素子１５のボンディングパッド領域１３から外側の回路基板２１にパッドを配置する必要がなくなる。このため、撮像素子１５を実装する回路基板２１の面積を撮像素子１５に近い大きさまで低減でき、固体撮像装置１００を小型化できる。
【００２２】
更に、電子部品３９を回路基板２１上でなく、遮光部材１９の表面に実装すれば、回路基板２１に必要な実装面積を低減でき、固体撮像装置１００をより小型化できる。電子部品３９にパワー回路が含まれる場合、撮像素子１５から離して配置することが望ましい。しかし、回路基板２１上に電子部品３９を配置する場合、撮像素子１５と電子部品３９との距離を稼ぐことは難しい。そこで上記のように、電子部品３９を遮光部材１９に実装すれば、撮像素子１５からの距離を容易に稼ぐことができ、パワー回路の影響を容易に低減できる。
【００２３】
また、撮像素子１５の撮像素子表面に遮光部材１９を直接貼着させることで、撮像素子１５の表面と遮光部材１９との隙間を完全に埋めることができる。その結果、受光領域１１へ迷光が入り込むことを防止でき、遮光性能を向上できる。
【００２４】
更に、平坦部２７から立設された筒状部２５を有する構造の遮光部材１９を、撮像素子１５の表面に面接合によって固定することで、回路基板２１の剛性が向上する。これにより、低背化によって薄肉に形成された固体撮像装置１００は、外力によって容易に変形せず、取り扱い性、耐久性に優れた高強度な構成となる。
【００２５】
そして、遮光部材１９は、発熱源となる撮像素子１５の撮像素子表面に直接当接して配置され、撮像素子１５との接触面積と熱容量を増大させている。このため、撮像素子１５の発熱を撮像素子１５の外部に高効率で逃すことができ、高い放熱性が得られる。撮像素子１５の特に受光領域１１の外側には、回路動作のため発熱し易い領域が存在するが、この発熱し易い領域が遮光部材１９の平坦部２７で覆われているため、効率の良い放熱が行える。つまり、遮光部材１９は、受光領域１１の温度上昇を低減し、撮像素子１５の発熱による暗電流増加も防止する。
【００２６】
次に、上記構成の固体撮像装置１００が搭載されたカメラモジュールを説明する。
図４はカメラモジュールの概略的な断面図である。
カメラモジュール２００は、主に固体撮像装置１００と、撮像素子１５の受光領域１１に光学像を結像させる光学部材からなる。固体撮像装置１００には、回路基板２１の環状の周縁部２１ａに接続された側壁部４３、及び側壁部から撮像素子１５の内側に向けて延設され遮光部材１９の筒状部頂面２５ａに当接する蓋部４５が一体に形成されたフレーム４１が取り付けられている。固体撮像装置１００のワイヤーボンディング接続された各部位は、フレーム４１、筒状部２５、回路基板２１で封止されている。
【００２７】
フレーム４１の蓋部４５は、撮像素子１５の受光領域１１に導光するための開口孔４５ａを有する。蓋部４５の開口孔４５ａの周縁部には、受光領域１１に対面して赤外線カットガラス４７が接着され、撮像素子１５の受光領域１１上の空間４９を密封している。
【００２８】
フレーム４１の蓋部４５上には、レンズホルダ５１が固定され、レンズホルダ５１は撮像素子１５の受光領域１１に結像させるレンズ５３を支持している。
【００２９】
上記構成のカメラモジュール２００によれば、撮像素子１５からの熱が、遮光部材１９の平坦部２７及び筒状部２５を介してフレーム４１の蓋部４５に伝達され、更に蓋部４５からレンズホルダ５１や赤外線カットガラス４７等の各部材に拡散される。このため、撮像素子１５の放熱性が高められ、撮像素子１５からの発熱の影響を小さく抑えることができる。その結果、ノイズの少ない高品位な画像情報を撮像素子１５から出力できる。
【００３０】
＜第２の態様＞
次に、遮光部材がシールド機能を有する構成について説明する。
図５は本構成例におけるカメラモジュールの概略的な断面図である。以降の説明においては、図４に示す部材と同一の部材については、同一の符号を付与することで、その説明は省略する。
【００３１】
レンズホルダ５１には、レンズ５３を光軸方向に移動させ、撮像素子１５の受光領域１１のフォーカスを調整するためのモータ（ボイスコイルモータ等）５５が設けられている。可動側となるレンズ５３は、レンズホルダ５１に固定されたモータ５５の駆動により光軸方向へ移動自在とされている。
【００３２】
上記構成のカメラモジュールの場合、モータ５５から発生するノイズに、モータ５５直下に配置される第１のパッド領域１７とボンディングパッド領域１３とのワイヤーボンディング接続部が晒される。そのため、ワイヤーボンディング接続部では、入出力される信号にノイズが重畳しやすくなるが、このノイズ重畳を防止するため、ワイヤーボンディング接続部にシールド用の配線層５７を形成している。
【００３３】
配線層５７は、モータ５５に対面する遮光部材１９の平坦部２７に少なくとも設けられ、第１パッド領域１７の下層に形成されている。そして配線層５７は、少なくともその一部に接地された配線を含んでいる。つまり、配線層５７は、接続端子であるパッドに導通する配線パターンの一部にシールド用配線を設けた構成、パッドに導通される配線パターンを一時的に接地することで、配線層５７を信号伝送用の配線機能とシールド機能とのいずれかを選択的に用いる構成、配線層５７の全体をシールド専用のシールド用配線とする構成等、種々の形態が採用可能である。
【００３４】
また、遮光部材１９に配線層５７を設けたことにより、撮像素子１５の特にノイズに弱いアナログ回路がシールドされる。その結果、撮像素子１５との絶縁が得られ、撮像素子１５からの出力信号にノイズが重畳されにくくなる。
【００３５】
遮光部材１９の平坦部２７に配線層５７を設けた構成の他にも、筒状部２５の外側壁面にも配線層５９を設けた構成としてもよい。その場合、撮像素子１５の受光領域１１に対してもシールド効果が得られ、撮像素子１５からの出力信号にノイズが重畳されることをより確実に防止できる。勿論、筒状部２５の外側壁面の配線層５９は、平坦部２７の配線層５７と同様に、その一部のみをシールド用の配線にする等、前述した種々の形態が採用可能である。
【００３６】
本構成例によれば、カメラモジュールにモータ５５等のノイズ発生部品が搭載された場合でも、発生するノイズは、配線層５７，５９によって確実にシールドでき、入出力信号に影響を及ぼすことがない。また、配線層５７，５９は、遮光部材１９の筒状部２５の内周面に配置しないので、受光領域１１の検出光は、配線層によって反射することがなく、カメラモジュールの光学性能を損なうことがない。
【００３７】
＜第３の態様＞
次に、遮光部材を撮像素子上に位置合わせするための位置決めマークを、撮像素子上に設けた構成について説明する。
撮像素子１５と遮光部材１９は、図示しない周知のマウンタ装置により回路基板２１に実装される。マウンタ装置の機構は種々のタイプがあるが、例えば、回路基板を固定するための基板固定部と、回路基板上に配置されるマウンタヘッドと、マウンタヘッドを回路基板上で移動させるための移動機構と、各部を制御するコントローラを備えたものがある。コントローラは、被実装部品をマウンタヘッドに保持させて、移動機構によりマウンタヘッドに保持された被実装部品を回路基板上の目標実装位置に移動させる。そして、コントローラの指示によりマウンタヘッドは被実装部品を回路基板上に載置する。これにより、回路基板上の目標実装位置に被実装部品が実装される。
【００３８】
上記のようなマウンタ装置では、マウンタヘッドにカメラを設け、このカメラにより回路基板上の位置決めマークを検出することで、回路基板とマウンタヘッドとの位置合わせを行っている。
【００３９】
本構成例は、上記のようなマウンタ装置により、回路基板２１上に撮像素子１５、遮光部材１９をこの順で実装する。その際、遮光部材１９を撮像素子１５の撮像素子表面に実装するときに、撮像素子表面に設けた位置決めマークを利用して位置決めを行う。
【００４０】
図６は遮光部材を撮像素子上に配置する様子を示す説明図である。回路基板２１に実装された撮像素子１５の撮像素子表面には、位置決めマーク６１，６１が設けてある。位置決めマーク６１，６１としては、カメラのカラーフィルタにより認識可能なパターン、配線パターン等、周知のマークが利用できる。
【００４１】
位置決めマーク６１，６１は、撮像素子１５自身の基準位置を表すマークである。このマークは、撮像素子１５の撮像素子表面で、遮光部材１９の実装領域６３外側の対角位置に一対設けてある。回路基板２１に実装済みとなった撮像素子１５の撮像素子表面に遮光部材１９を実装する際、マウンタヘッドのカメラにより位置決めマーク６１，６１を認識して、コントローラが遮光部材１９の目標実装位置を決定する。そして、コントローラは、マウンタヘッドを目標実装位置に移動させ、遮光部材１９を撮像素子表面の目標実装位置に実装する。
【００４２】
本構成によれば、撮像素子１５の実装面積を低減したために、遮光部材１９を実装するための基準位置情報が回路基板２１から得られない場合であっても、撮像素子１５の撮像素子表面に基準位置情報（位置決めマーク）を付加することで、遮光部材１９は回路基板２１に実装可能となる。また、撮像素子表面に設けた位置決めマークを利用することで、回路基板２１上に基準位置情報を設けた場合に発生する撮像素子１５の実装位置の誤差による影響が原理上発生せず、高精度な実装が行える。なお、位置決めマークは、撮像素子１５の受光領域１１の外側に設けるため、光学性能への影響はない。
【００４３】
＜第４の態様＞
次に、遮光部材に形成する第１のパッド領域を複数列のパッド領域として、各列のパッド領域と撮像素子のボンディングパッド領域とをワイヤーボンディング接続した構成について説明する。
【００４４】
図７は遮光部材に複数列のパッド領域を設けてボンディング接続を行った様子を概略的に示す固体撮像装置の一部断面図、図８は図７に示す複数列のパッド領域におけるパッド配置の一例を示す説明図である。
本構成例では、第１のパッド領域１７が、３つのパッド領域１７Ａ，１７Ｂ，１７Ｃからなる。パッド領域１７Ａ，１７Ｂ，１７Ｃの各パッドは、それぞれ撮像素子１５のボンディングパッド領域１３の各パッド２３にワイヤーボンディング接続される。
【００４５】
上記構成によれば、各パッド領域１７Ａ，１７Ｂ，１７Ｃの各ボンディングピッチＰが、撮像素子１５のボンディングパッド領域１３におけるボンディングピッチＰ０より広くなる。このため、第１のパッド領域１７側におけるワイヤーボンディング接続時の位置精度が粗くて済み、実装コストを低減できる。また、遮光部材１９の大きさの制約等で、第１のパッド領域１７の長さがボンディングパッド領域１３の長さより短くなる場合でも、ボンディングピッチＰを広く設定できる。なお、図８に示すパッド２９の配置は一例であって、各パッドの配置はこれに限らない。
【００４６】
このように、本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
例えば、第１のパッド領域１７は、遮光部材１９の平坦部２７に設ける構成に限らず、撮像素子１５の撮像素子表面に設けた他の部材上に設けてもよい。また、第２のパッド領域３１から回路基板２１の第３のパッド領域３５にワイヤーボンディング接続する代わりに、フレキシブル基板により第１のパッド領域１７と回路基板２１を接続する構成としてもよい。
【００４７】
以上の通り、本明細書には次の事項が開示されている。
（１）  受光領域の外側に外部接続用のパッドが配置されたボンディングパッド領域を有する撮像素子と、
少なくとも前記撮像素子の前記受光領域と前記ボンディングパッド領域との間に配置され、前記ボンディングパッド領域に対応するパッドが配置された第１のパッド領域を有する配線部材と、を備え、
前記撮像素子のボンディングパッド領域と前記配線部材の第１のパッド領域における対応するパッド同士がワイヤーボンディング接続された固体撮像装置。
この固体撮像装置によれば、撮像素子のボンディングパッド領域と、撮像素子内側に配置される配線部材の第１のパッド領域とをワイヤーボンディング接続するので、撮像素子の外側に向けてワイヤーボンディングを行う必要がなくなる。このため、撮像素子の入出力信号は、撮像素子の素子領域内で取り出すことができ、固体撮像装置を小型化でき、実装面積を低減できる。また、配線部材を撮像素子の受光領域とボンディングパッド領域との間に配置することで、撮像素子からの発熱の放熱性を高めることができる。更に、撮像素子に配線部材が取り付けられることで、撮像素子の剛性が向上し、外力による変形を抑え、強度を高めることができる。
【００４８】
（２）  （１）の固体撮像装置であって、
前記配線部材が、前記受光領域を囲む全周に形成された固体撮像装置。
この固体撮像装置によれば、配線部材が受光領域を囲む全周に形成されることで、配線部材と撮像素子との接触面積が増加し、剛性と放熱性とを高められる。
【００４９】
（３）  （１）又は（２）の固体撮像装置であって、
前記撮像素子が実装される回路基板を備え、
前記配線部材が、前記第１のパッド領域とは異なる位置に配置され、前記第１のパッド領域の入出力信号に対する接続端子として機能するパッドが配置された第２のパッド領域を有し、前記第２のパッド領域のパッドが前記回路基板に電気的に接続された固体撮像装置。
この固体撮像装置によれば、撮像素子の入出力信号を、第１のパッド領域とは異なる位置に配置された第２のパッド領域のパッドを介して、回路基板へ伝送する構成であるので、第２のパッド領域の配置自由度が高められる。以て、スペース効率の良い配置パターンにでき、固体撮像装置を更に小型化できる。
【００５０】
（４）  （３）の固体撮像装置であって、
前記回路基板が、前記第２のパッド領域のパッドに対応するパッドが配置された第３のパッド領域を有し、
前記第２のパッド領域と前記第３のパッド領域の対応するパッド同士がワイヤーボンディング接続された固体撮像装置。
この固体撮像装置によれば、設計変更が少なく低コストに撮像素子と回路基板とを接続できる。
【００５１】
（５）  （１）〜（４）のいずれか一つの固体撮像装置であって、
前記配線部材が、前記受光領域を遮光するための遮光部材である固体撮像装置。
この固体撮像装置によれば、撮像素子の受光領域の外側に遮光部材が設けられ、受光領域以外に入射した光が迷光となって受光領域に入り込むことを防止できる。
【００５２】
（６）  （５）の固体撮像装置であって、
前記配線部材が、前記撮像素子の撮像素子表面における前記受光領域の外縁全周から、前記撮像素子表面に対して垂直に立設された筒状部と、
該筒状部の底部から前記撮像素子表面に沿って外側に延設された平坦部と、
を有する固体撮像装置。
この固体撮像装置によれば、受光領域を囲む筒状部によって、受光領域に不要光が入り込むことが防止され、撮像素子の遮光性を向上できる。
【００５３】
（７）  （６）の固体撮像装置であって、
前記第１のパッド領域が、前記配線部材の平坦部に設けられた固体撮像装置。
この固体撮像装置によれば、平坦部に第１のパッド領域が設けられることで、ワイヤーボンディング接続が容易に行えるようになり、製造コストを低減できる。
【００５４】
（８）  （６）又は（７）の固体撮像装置であって、
前記配線部材の平坦部に、前記第１のパッド領域のパッドに接続される配線パターンが形成され、
前記配線パターンがシールド機能を有する固体撮像装置。
この固体撮像装置によれば、配線パターンによって受光領域との絶縁性が良好となり、撮像素子が有するアナログ回路等のノイズに弱い部分に対して、確実なシールド効果が得られる。また、撮像素子の受光領域は、配線パターンの光反射による影響を生じることがなく、良好な光学特性が得られる。
【００５５】
（９）  （１）〜（８）のいずれか一つの固体撮像装置であって、
前記配線部材に電子部品が実装された固体撮像装置。
この固体撮像装置によれば、配線部材に電子部品を実装することで、回路基板等に対して、必要となる電子部品の実装面積を低減できる。
【００５６】
（１０）  （１）〜（９）のいずれか一つの固体撮像装置であって、
前記撮像素子の前記撮像素子表面に位置決めマークが設けられた撮像装置。
この固体撮像装置によれば、配線部材を撮像素子に対して正確に位置合わせできる。このため、受光領域と配線部材との相対位置が正確となって光学特性が向上し、配線部材上の第１のパッド領域と撮像素子上のボンディングパッド領域との相対位置が正確となって接続工程の精度を高められる。
【００５７】
（１１）  （１）〜（１０）のいずれか一つの固体撮像装置であって、
前記第１のパッド領域が前記ボンディングパッド領域に対して並列配置される複数列のパッド領域からなり、各列のパッド領域と前記ボンディングパッド領域の対応するパッド同士がワイヤーボンディング接続された撮像装置。
この固体撮像装置によれば、第１のパッド領域の長さがボンディングパッド領域の長さより短い場合でも、接続点となる個々のパッドのピッチ間隔が縮小されることなく広く設定できる。このため、接続工程に高い加工精度を要することがなく、実装コストを低減できる。
【００５８】
（１２）  （１）〜（１１）のいずれか一つの固体撮像装置と、
前記撮像素子の受光領域に光学像を結像させる光学部材と、
を備えたカメラモジュール。
このカメラモジュールによれば、剛性、放熱性、遮光性に優れた構成とし、しかも実装面積を削減できる。
【符号の説明】
【００５９】
１１  受光領域
１３  ボンディングパッド領域
１５  撮像素子
１７  第１のパッド領域
１９  遮光部材（配線部材）
２１  回路基板
２３  パッド
２５  筒状部
２７  平坦部
２９  パッド
３１  第２のパッド領域
３３  パッド
３５  第３のパッド領域
３７  パッド
３９  電子部品
４３  側壁部
４５  蓋部
５３  レンズ
５５  モータ
５７  配線層
５９  配線層
６１  位置決めマーク
６３  実装領域
１００  固体撮像装置
２００  カメラモジュール
【図１】
0005645786.tif 000002
【図２】
0005645786.tif 000003
【図３】
0005645786.tif 000004
【図４】
0005645786.tif 000005
【図５】
0005645786.tif 000006
【図６】
0005645786.tif 000007
【図７】
0005645786.tif 000008
【図８】
0005645786.tif 000009
【図９】
0005645786.tif 000010